(57)【要約】【課題】流通過程で傷んだ貨幣であっても識別部で識別して収納することができるとともに、異常な貨幣が混入するのを防止できる貨幣処理装置を提供する。【解決手段】識別部は受け付けた紙幣が正常であるか異常であるかを紙幣の真偽判定のような複数の判定項目に基づいて識別する。流通過程で傷んだ真紙幣を最初に受け付けたときに、識別部によって異常であると識別されて返却した紙幣が、識別部での真偽判定で偽紙幣と判定されていた場合に、識別部が真偽判定を行うための基準である真偽判定レベルを下げるように変更する。そして、返却した紙幣を再度受け付けたときに、変更した真偽判定レベルに基づいて識別部が再度紙幣の真偽判定を行うと、紙幣が真紙幣で正常であると識別されて、紙幣入出金機内に収納することができる。【選択図】    図７
2004265288.tif 000002
【特許請求の範囲】
【請求項１】
受け付けた貨幣を識別し、その識別結果に応じて貨幣の収納または返却の処理を行う貨幣処理装置において、
貨幣が正常であるか異常であるかを複数の判定項目に基づいて識別する識別部と、
前記複数の判定項目の１つである貨幣の真偽判定を行うための真偽判定レベルを変更するレベル変更手段と、を備え、
前記識別部によって異常であると識別された貨幣が真偽判定で偽貨幣であると判定されていた場合に、前記レベル変更手段によって真偽判定レベルを下げるように変更し、当該貨幣を再度受け付けて前記識別部に識別させることを特徴とする貨幣処理装置。
【請求項２】
請求項１に記載の貨幣処理装置において、
前記真偽判定レベルは複数段階設定されていて、この真偽判定レベルを前記レベル変更手段によって順次下げるように変更することを特徴とする貨幣処理装置。
【請求項３】
請求項１または請求項２に記載の貨幣処理装置において、
前記識別部によって貨幣が偽貨幣であると判定されたことを確認して真偽判定レベルの変更を許可する変更許可手段と、
真偽判定レベルの変更を指示するために操作される変更指示手段と、を備え、
前記変更許可手段によって真偽判定レベルの変更が許可され、かつ、前記変更指示手段によって真偽判定レベルの変更が指示されると、前記レベル変更手段によって真偽判定レベルを下げるように変更することを特徴とする貨幣処理装置。
【請求項４】
請求項３に記載の貨幣処理装置において、
前記変更許可手段によって真偽判定レベルの変更が許可されたことを通知する通知手段を設けたことを特徴とする貨幣処理装置。
【請求項５】
請求項３または請求項４に記載の貨幣処理装置において、
真偽判定レベルを変更した後に、前記変更許可手段によるレベル変更許可状態を不許可状態に戻すとともに、前記変更指示手段によるレベル変更指示状態を無指示状態に戻す状態初期化手段を設けたことを特徴とする貨幣処理装置。
【請求項６】
請求項１ないし請求項５のいずれかに記載の貨幣処理装置において、
受け付けた貨幣に対する処理が完了した後に、真偽判定レベルを初期のレベルに戻すレベル初期化手段を設けたことを特徴とする貨幣処理装置。
【発明の詳細な説明】
【０００１】
【発明の属する技術分野】
本発明は、紙幣入出金機のような貨幣処理装置に関し、特に流通過程で傷んだ貨幣であっても収納することが可能な貨幣処理装置に関するものである。
【０００２】
【従来の技術】
貨幣を受け付けて収納または返却の処理を行う貨幣処理装置の一例として、金融機関の係員窓口に設置される紙幣入出金機がある。この紙幣入出金機は、係員が顧客から預かった紙幣を入金する場合、紙幣が入出金機に投入されると、内部に備わる識別部によって紙幣の真偽判定のような複数の判定項目に基づいて紙幣が正常であるか異常であるかを識別する。そして、真紙幣であり紙幣入出金機で取り扱い可能な紙幣である等と判定することにより紙幣が正常であると識別すると、その紙幣を収納して入金する。これに対して、偽紙幣であると判定したり、取り扱い不可能な紙幣である等と判定することにより紙幣が異常であると識別すると、その紙幣を返却して入金を拒否する。なお、取り扱い可能な紙幣とは、識別部で金種の識別が出来た紙幣の内、紙幣入出金機内に収納してもよい紙幣のことであり、取り扱い不可能な紙幣とは、識別部で金種の識別が出来た紙幣の内、紙幣入出金機内に収納を許可されていない紙幣（例えば、旧札や特定札や海外札のような紙幣）のことである。
【０００３】
上記のような紙幣入出金機では、偽紙幣が混入しないように紙幣の真偽判定レベルを高く設定している。そのため、流通過程でしわが寄ったり汚れが付いたというような傷んだ紙幣が、真紙幣であるにも拘らず識別部で偽紙幣であると判定され、返却されることがある。このような場合、従来は、返却された紙幣を係員がチェックして真紙幣であると認めると、予め準備しておいた予備紙幣と交換し、交換した紙幣を手元で管理するとともに、予備紙幣を紙幣入出金機に入金していた。しかしこれでは、係員が現金を手元で管理するので、防犯上問題となっていた。また、予備紙幣を返却された紙幣の代わりに入金するので、手間と時間がかかり、顧客に対する入金サービスをスムーズに行えなかった。
【０００４】
一方、下記の特許文献１には、紙幣を強制的に収納する強制収納モードを有し、一度返却された紙幣を係員がチェックして真紙幣であると認めると、係員の操作により強制収納モードに切り替えて、その紙幣を強制的に収納する紙幣入出金機が記載されている。このような紙幣入出金機によれば、流通過程で傷んだ紙幣を強制的に紙幣入出金機に入金することができるので、係員が現金を手元で管理する必要がなくなり、現金を紙幣入出金機内で安全に管理することができる。また、予備紙幣を用いる必要がなくなり、予備紙幣の扱いに手間と時間がかからず、顧客に対する入金サービスをスムーズに行うことができる。
【０００５】
【特許文献１】
特開２０００−３０１０６号公報（第３−４頁、図５）
【０００６】
【発明が解決しようとする課題】
しかし、紙幣を識別する識別部では、紙幣の真偽判定以外にも複数の判定を行っていて、その中には人間の目では判定できないような項目もある。このため、特許文献１の紙幣入出金機のように、一度返却した紙幣に対する複数の判定を識別部で行わずに係員の判断のみに委ねると、真偽判定を始めとする複数の判定に基づいて紙幣が正常であるか異常であるかを正確に識別できず、偽造紙幣や紙幣入出金機で取り扱い不可能な紙幣のような異常な紙幣が、係員に流通過程で傷んだ真紙幣であると判断されて、紙幣入出金機内に混入してしまうおそれがある。
【０００７】
本発明は、上記問題点を解決するものであって、その課題とするところは、流通過程で傷んだ貨幣であっても識別部で識別して収納することができるとともに、異常な貨幣が混入するのを防止することができる貨幣処理装置を提供することにある。
【０００８】
【課題を解決するための手段】
本発明では、受け付けた貨幣を識別し、その識別結果に応じて貨幣の収納または返却の処理を行う貨幣処理装置において、貨幣が正常であるか異常であるかを複数の判定項目に基づいて識別する識別部と、複数の判定項目の１つである貨幣の真偽判定を行うための真偽判定レベルを変更するレベル変更手段とを設ける。そして、識別部によって異常であると識別された貨幣が真偽判定で偽貨幣であると判定されていた場合に、レベル変更手段によって真偽判定レベルを下げるように変更し、当該貨幣を再度受け付けて識別部に識別させる。なお、識別部によって「異常である」と識別される貨幣とは、複数の判定項目のうち少なくとも１つの項目を満足しなかった貨幣のことであって、例えば、偽造貨幣や、貨幣処理装置で取り扱い不可能な貨幣や、流通過程で傷んだため真貨幣であるにも拘らず真偽判定で偽貨幣であると判定された貨幣が含まれる。
【０００９】
このようにすると、流通過程で傷んだ真貨幣を最初に受け付けたときに、識別部が当該貨幣を偽貨幣で異常であると識別し、それを返却しても、返却した貨幣を再度受け付けたときに、真偽判定レベルが下げられているので、当該貨幣は識別部により真貨幣で正常であると識別され、内部に収納することができる。この結果、従来の紙幣入出金機のように、係員が現金を手元で管理する必要がなくなり、現金を貨幣処理装置内で安全に管理することができる。また、予備貨幣を用いる必要がなくなり、予備貨幣の扱いに手間と時間がかからず、顧客に対するサービスをスムーズに行うことができる。
【００１０】
また、特許文献１の紙幣入出金機のように、一度返却した貨幣の真偽判定やこれ以外の判定を人間の判断のみに委ねるということはなく、全て識別部によって判定するので、識別部による判定に基づいて貨幣が正常であるか異常であるかを正確に識別することができ、偽造貨幣や貨幣処理装置で取り扱い不可能な貨幣のような異常な貨幣が貨幣処理装置内に混入するのを防止することが可能となる。さらに、真偽判定レベルだけを変更することで、真偽判定以外の判定を行うためのレベルを保持し、異常な貨幣が貨幣処理装置内に混入するのを一層確実に防止することが可能となる。
【００１１】
また、本発明においては、真偽判定レベルは複数段階設定されていて、この真偽判定レベルをレベル変更手段によって順次下げるように変更する。このようにすると、返却された貨幣を繰り返し受け付ける毎に真偽判定レベルを徐々に下げて行くことができ、相当程度傷んだ貨幣であっても、最終的には受け付けて収納することが可能となる。
【００１２】
また、本発明においては、上記構成に加え、識別部によって貨幣が偽貨幣であると判定されたことを確認して真偽判定レベルの変更を許可する変更許可手段と、真偽判定レベルの変更を指示するために操作される変更指示手段とを設ける。この場合、変更許可手段によって真偽判定レベルの変更が許可され、かつ、変更指示手段によって真偽判定レベルの変更が指示されると、レベル変更手段によって真偽判定レベルを下げるように変更する。
【００１３】
このようにすると、貨幣処理装置側で真偽判定レベルの変更が許可されていなければ、係員が変更指示手段を操作しても、真偽判定レベルを下げることができないため、真偽判定レベルが係員によって不用意に変更されるのを防止することができる。
【００１４】
また、本発明においては、変更許可手段によって真偽判定レベルの変更が許可されたことを通知する通知手段を設ける。このようにすると、貨幣処理装置で真偽判定レベルの変更が可能な状態になっていて、変更指示手段の操作が有効であるということが容易に分かるので、係員は即座に変更指示手段を操作して真偽判定レベルの変更を指示し、返却された貨幣を貨幣処理装置に再度受け付けさせることができる。
【００１５】
また、本発明においては、真偽判定レベルを変更した後に、変更許可手段によるレベル変更許可状態を不許可状態に戻すとともに、変更指示手段によるレベル変更指示状態を無指示状態に戻す状態初期化手段を設ける。真偽判定レベルを変更した後に、レベル変更許可状態およびレベル変更指示状態のままにしておくと、その後識別部によって真貨幣であるが異常であると識別された異常な貨幣をもう一度受け付けたときに、指示なく真偽判定レベルを下げて、その下げたレベルで識別部によって誤った真偽判定が行われてしまうが、上記のようにしてレベル変更不許可状態およびレベル変更無指示状態に戻すことで、異常な貨幣をもう一度受け付けたときに、指示なく真偽判定レベルを下げてしまうことは発生せず、識別部によって誤った判定が行われることもない。
【００１６】
さらに、本発明においては、受け付けた貨幣に対する処理が完了した後に、真偽判定レベルを初期のレベルに戻すレベル初期化手段を設ける。このようにすると、自動的に真偽判定レベルを元に戻して、次の貨幣を受け付けるときに、通常の高い真偽判定レベルで貨幣の真偽判定を行うことができる。
【００１７】
【発明の実施の形態】
図１は、紙幣入出金機の概略構造を示す図である。図１において、１は紙幣入出金機であって、金融機関の係員窓口に設置される。この紙幣入出金機１は、投入される紙幣Ｓを金種別に内部のカセットＣ１〜Ｃ４に収納して入金する機能と、カセットＣ１〜Ｃ４に収納している紙幣Ｓを指示された金種や枚数に基づいて取り出して出金する機能とを備えている。紙幣入出金機１は、本発明における貨幣処理装置を構成する。２は紙幣入出金機１の本体、３は入金する紙幣Ｓが投入される入金口、４は投入された紙幣Ｓを返却する返却口、５は出金する紙幣Ｓを放出する出金口、６は投入された紙幣Ｓに対する処理が確定するまで紙幣Ｓを一時的に保留する一時保留部である。なお、入金口３、返却口４、出金口５は、本体２の前面上部に設けられていて、一時保留部６は本体２の内部に設けられている。７は本発明における識別部であって、入出金する紙幣Ｓが正常であるか異常であるかを複数の判定項目に基づいて識別する。なお、複数の判定項目としては、紙幣Ｓの真偽判定や金種判定等がある。
【００１８】
８は本体２の上面に設けられた操作部である。この操作部８の詳細を図２に示す。図２において、９は入出金する紙幣Ｓの金額や紙幣入出金機１の動作状態等を表示する表示部、１０は紙幣入出金機１に対して各種の保守作業を行うために操作される監査キースイッチである。Ｂ１は発光可能な真偽判定レベル変更指示ボタン（以下、レベル変更ボタンと記す）であって、識別部７が紙幣Ｓの真偽判定を行うための真偽判定レベルの変更を指示するために操作される。レベル変更ボタンＢ１は、本発明における変更指示手段を構成する。Ｂ２は一時保留部６に保留された紙幣Ｓに対して入金の確定を指示するために操作される入金確定ボタン、Ｂ３は一時保留部６に保留された紙幣Ｓに対して入金の取り消しを指示するために操作される入金取消ボタン、Ｂ４は入金口３に投入された紙幣Ｓの金額を計数するために操作される計数ボタン、Ｂ５は紙幣入出金機１の状態をリセットするためのリセットボタンである。
【００１９】
図１に示すＣ１〜Ｃ４は紙幣Ｓを金種別に収納する第１〜第４カセットである。本実施形態では、第１カセットＣ１は千円札、第２カセットＣ２は五千円札、第３カセットＣ３は一万円札、第４カセットＣ４は予備札や混合札をそれぞれ収納する。Ｃ５はリジェクトカセットであって、第１〜第４カセットＣ１〜Ｃ４から取り出した紙幣Ｓが破損している等の異常な紙幣であるため出金が不可能な場合にこのカセットＣ５に回収する。紙幣入出金機１はこれらのカセットＣ１〜Ｃ５に対して紙幣Ｓを出し入れし、入出金取引を行う。
【００２０】
Ｌ１は紙幣Ｓを搬送するための上部搬送ラインであって、入金口３から識別部７を介して返却口４または出金口５までをループ状に接続している。Ｌ２は紙幣Ｓを搬送するための分岐搬送ラインであって、上部搬送ラインＬ１の途中で分岐し一時保留部６を介して再び上部搬送ラインＬ１へ接続している。Ｌ３は紙幣Ｓを搬送するための下部搬送ラインであって、識別部７と各カセットＣ１〜Ｃ５とをループ状に接続している。なお、図１では、各搬送ラインＬ１、Ｌ２、Ｌ３を駆動するためのモータやローラ等の駆動機構は図示を省略している。
【００２１】
上記構成の紙幣入出金機１において、紙幣Ｓを入金する場合は、係員が入金口３に紙幣Ｓを投入し、計数ボタンＢ４を押して紙幣Ｓの計数を指示すると、紙幣Ｓは入金口３から一枚繰り出されて上部搬送ラインＬ１を通って識別部７へ搬送される。そして、識別部７で紙幣Ｓの真偽や金種等の複数項目の判定が行われて、それらの判定結果から紙幣Ｓが正常であるか異常であるかが識別される。なお、このときの金種判定は、入金口３から繰り出されて来た紙幣Ｓが、紙幣入出金機１で取り扱い可能な金種の紙幣であるか、取り扱い不可能な金種の紙幣であるかを確認するために行われていて、取り扱い可能な紙幣とは、カセットＣ１〜Ｃ４のいずれかに収納してもよい紙幣のことであり、取り扱い不可能な紙幣とは、カセットＣ１〜Ｃ４のいずれにも収納してはいけない紙幣のことである。また、識別部７によって正常であると識別される紙幣とは、複数項目の判定の全てを満足した紙幣のことであり、異常であると識別される紙幣とは、複数項目の判定のうち少なくとも１つの項目を満足しなかった紙幣のことである。異常であると識別される紙幣には、例えば、偽造紙幣や、紙幣入出金機１で取り扱い不可能な紙幣や、流通過程で傷んだため真紙幣であるにも拘らず真偽判定で偽紙幣であると判定された紙幣が含まれる。
【００２２】
識別部７によって真紙幣であり取り扱い可能な紙幣である等と判定されることにより正常であると識別された紙幣Ｓは、上部搬送ラインＬ１から分岐搬送ラインＬ２を通り一時保留部６へ搬送されて、ここで一時的に保留される。一方、偽紙幣であると判定されたり、取り扱い不可能な紙幣である等と判定されることにより異常であると識別された紙幣Ｓは、上部搬送ラインＬ１を通り返却口４へ搬送されて、外部に返却される。紙幣Ｓが一時保留部６または返却口４に搬送されると、次の紙幣Ｓが入金口３から一枚繰り出されて識別部７へ搬送され、識別部７での識別結果に応じて一時保留部６または返却口４へ搬送される。そして、上記のようにして入金口３の紙幣Ｓが全て搬送されると、係員は返却口４に搬送された紙幣Ｓを入金口３に再度投入するか、一時保留部６に集められた紙幣Ｓに対する処理の指示を行う。ここで、係員が返却口４に搬送された紙幣Ｓを入金口３に再度投入し、計数ボタンＢ４を押すと、上述したように紙幣Ｓが入金口３から一枚繰り出されて識別部７へ搬送され、さらに一時保留部６または返却口４へ搬送される。
【００２３】
一方、係員が入金確定ボタンＢ２を押して一時保留部６の紙幣Ｓの入金確定を指示すると、紙幣Ｓは一時保留部６から一枚繰り出されて上部搬送ラインＬ１を通り識別部７へ搬送される。そして、識別部７で再度紙幣Ｓの金種判定が行われ、紙幣Ｓは、判定された金種に対応するカセットＣ１〜Ｃ４へ下部搬送ラインＬ３を通って搬送されて収納される。この後は、次の紙幣Ｓが一時保留部６から一枚繰り出されて上部搬送ラインＬ１を通り識別部７へ搬送され、識別部７で判定された金種に対応するカセットＣ１〜Ｃ４へ搬送されて収納される。このようにして、一時保留部６の紙幣Ｓが全てカセットＣ１〜Ｃ４に振り分けられて収納されると、紙幣Ｓに対する処理が完了する。なお、係員が入金確定ボタンＢ２ではなく入金取消ボタンＢ３を押して一時保留部６の紙幣Ｓの入金取消を指示すると、紙幣Ｓは一時保留部６から一枚ずつ繰り出されて上部搬送ラインＬ１を通り返却口４へ搬送されて返却される。このようにして、一時保留部６の紙幣Ｓが全て返却口４に搬送されて返却されると、紙幣Ｓに対する処理が完了する。
【００２４】
紙幣入出金機１から紙幣Ｓを出金する場合は、係員が図示しないテンキー等により出金する金額と紙幣Ｓの金種を指定すると、指定された金種に対応するカセットＣ１〜Ｃ４から紙幣Ｓが繰り出されて、下部搬送ラインＬ３を通って識別部７へ搬送される。そして、識別部７で金種等の判定が行われ、それらの判定結果から紙幣Ｓが正常であるか異常であるかが識別される。なお、このときの金種判定は、指定された金種と一致しているか否かを確認するために行われている。ここで、紙幣Ｓの金種が指定された金種と一致している等と判定されることにより正常であると識別された紙幣Ｓは、上部搬送ラインＬ１を通って出金口５へ搬送され、出金口５から取り出しを許容された状態となる。一方、紙幣Ｓの金種が指定された金種と一致していない等と判定されることにより異常であると識別された紙幣Ｓは、下部搬送ラインＬ３を通ってリジェクトカセットＣ５へ回収される。
【００２５】
図３は、紙幣入出金機１の電気的構成を示したブロック図である。図３において、１１は紙幣入出金機１の各部を制御するＣＰＵである。１２はＣＰＵ１１の動作プログラム等を記録したＲＯＭ、１３はＣＰＵ１１が各部を制御する制御データを読み書き可能に記録するＲＡＭである。１４は入金口紙幣検知センサ（以下、入金口センサと記す）であって、入金口３の紙幣Ｓの有無を検知する。１５は保留部紙幣検知センサ（以下、保留部センサと記す）であって、一時保留部６の紙幣Ｓの有無を検知する。入金口センサ１４と保留部センサ１５とはそれぞれフォトセンサから構成される。８は前述の操作部、７は前述の識別部、１６は前述の３つの搬送ラインＬ１、Ｌ２、Ｌ３をそれぞれ駆動するための駆動源であるモータである。１７はＲＡＭから構成される格納部であって、所定の領域にレベルテーブルＴと、変更指示データＤ１と、変更許可データＤ２とを格納している。
【００２６】
レベルテーブルＴは識別部７が紙幣Ｓの真偽判定を行うための基準である真偽判定レベルを表すテーブルである。このレベルテーブルＴの詳細を図４に示す。図４において、真偽判定レベルはＡ、Ｂ、Ｃ、Ｄ、Ｅと複数段階設定されていて、このうちＡがもっとも高いレベルであり、Ａから下に行くほど低いレベルとなっている。また、各レベルＡ〜Ｅと対応して、それぞれのレベルＡ〜Ｅが現在識別部７で有効であるか、無効であるかを表す情報が記憶されている。「１」は有効を表し、「０」は無効を表している。識別部７では、初期はレベルＡが有効になっていて、このレベルＡに基づいて紙幣Ｓの真偽判定が行われる。そして、識別部７で有効であるレベルは、後述するようにＣＰＵ１１によってレベルＡからレベルＢへ、レベルＢからレベルＣへというように順次下げるように変更することが可能となっている。
【００２７】
図３に示した変更指示データＤ１はレベル変更ボタンＢ１（図２）からの真偽判定レベルの変更指示が有ったか無かったかを示すデータである。また、変更許可データＤ２はＣＰＵ１１が真偽判定レベルの変更を許可したか否かを示すデータである。なお、ＣＰＵ１１は識別部７によって紙幣Ｓが偽紙幣であると判定されたことを確認したときに真偽判定レベルの変更を許可する。このようなＣＰＵ１１は、本発明における変更許可手段を構成する。また、ＣＰＵ１１は変更指示データＤ１と変更許可データＤ２とに基づいて識別部７で有効である真偽判定レベルを図４で説明したようにレベルＡから順次下げるように変更する。このようなＣＰＵ１１は、本発明におけるレベル変更手段を構成する。
【００２８】
図５は、ＣＰＵ１１が識別部７で有効である真偽判定レベルを変更する状況を説明する図である。図５において、変更指示データＤ１の下側に示される「０」は真偽判定レベルの変更指示が無い無指示状態を表していて、「１」は真偽判定レベルの変更指示が有る指示状態を表している。変更指示データＤ１は、初期では状態「０」であるが、係員によってレベル変更ボタンＢ１（図２）が操作されると、ＣＰＵ１１によって状態「１」に更新される。変更許可データＤ２の下側に示される「０」は真偽判定レベルの変更が許可されていない不許可状態を表していて、「１」は真偽判定レベルの変更が許可された許可状態を表している。変更許可データＤ２は、初期では状態「０」であるが、ＣＰＵ１１によって真偽判定レベルの変更が許可されると状態「１」に更新される。このように変更許可データＤ２が状態「１」に更新されると、図２に示したレベル変更ボタンＢ１は発光して真偽判定レベルの変更が許可されたことを通知する。このようなレベル変更ボタンＢ１は、本発明における通知手段を構成する。
【００２９】
変更指示データＤ１が真偽判定レベルの変更の指示状態「１」を表し、かつ、変更許可データＤ２が真偽判定レベルの変更の許可状態「１」を表すと、ＣＰＵ１１は識別部７で有効である真偽判定レベルを変更する。なお、真偽判定レベルを変更した後に、ＣＰＵ１１は、変更指示データＤ１を初期の無指示状態「０」に戻すとともに、変更許可データＤ２を初期の不許可状態「０」に戻す。このようなＣＰＵ１１は、本発明における状態初期化手段を構成する。また、入金を受け付けた紙幣Ｓに対する処理が完了した後に、ＣＰＵ１１は変更した真偽判定レベルを初期のレベルＡに戻す。このようなＣＰＵ１１は、本発明におけるレベル初期化手段を構成する。
【００３０】
図６〜図８は、紙幣入出金機１の入金時の動作手順を示したフローチャートであって、各ステップはＣＰＵ１１が実行する処理である。なお、図７は図６のステップＳ２の紙幣入金受付処理の詳細を示したフローチャートであり、図８は図６や図７の処理と独立して実行される変更指示データ更新処理を示したフローチャートである。
【００３１】
図６において、まず、ＣＰＵ１１は、変更指示データＤ１を真偽判定レベルの変更の指示が無い無指示状態「０」に初期化するとともに、変更許可データＤ２を真偽判定レベルの変更の許可がされていない不許可状態「０」に初期化する（ステップＳ１）。そして、紙幣Ｓの入金を受け付ける紙幣入金受付処理を図７のフローチャートに従って実行する（ステップＳ２）。図７において、係員が入金口３に紙幣Ｓを投入して計数ボタンＢ４を押すと、ＣＰＵ１１は入金口センサ１４の検知出力により入金口３に紙幣Ｓが有り、かつ、紙幣Ｓの計数指示が有ったと判断して（ステップＳ２１：ＹＥＳ）、変更許可データＤ２が真偽判定レベルの変更が許可された許可状態「１」であるか否かを判定する（ステップＳ２２）。このときは、図６のステップＳ１で変更許可データＤ２を不許可状態「０」に初期化したので、許可状態「１」でないと判定して（ステップＳ２２：ＮＯ）、ステップＳ２６へ移行する。
【００３２】
ステップＳ２６において、入金口３から紙幣Ｓを一枚繰り出して識別部７へ搬送し、識別部７で真偽判定や金種判定等の複数の判定項目に基づいて紙幣Ｓが正常であるか異常であるかを識別する（ステップＳ２７）。このとき、識別部７は初期の真偽判定レベルであるレベルＡに基づいて紙幣Ｓを識別する。また、識別部７は金種判定の結果に基づいて紙幣Ｓの金額を計数する。そして、ＣＰＵ１１は識別部７によって紙幣Ｓが正常であると識別されたか否かを確認し（ステップＳ２８）、正常であると識別されていると（ステップＳ２８：ＹＥＳ）、紙幣Ｓを識別部７から一時保留部６へ搬送する（ステップＳ２９）。搬送後は、入金口３の紙幣Ｓが全てなくなったか否かを判定し（ステップＳ３４）、入金口３にまだ紙幣Ｓがあれば（ステップＳ３４：ＮＯ）、ステップＳ２６へ移行して、入金口３から紙幣Ｓを一枚繰り出して識別部７へ搬送し、上述したように識別部７で紙幣Ｓを識別する。
【００３３】
一方、ステップＳ２８において、識別部７によって紙幣Ｓが異常であると識別されていると（ステップＳ２８：ＮＯ）、続けて、識別部７によって真偽判定で紙幣Ｓが偽紙幣と判定されたか否かを確認する（ステップＳ３０）。ここで、紙幣Ｓが真紙幣と判定されていると（ステップＳ３０：ＮＯ）、紙幣Ｓを識別部７から返却口４へ搬送して返却する（ステップＳ３２）。なお、このように識別部７によって真紙幣と判定されているにも拘らず異常と識別された紙幣Ｓは、真偽判定以外の複数の判定項目のうち少なくとも１つの項目を満足しなかった紙幣であって、例えば、紙幣入出金機１で取り扱い不可能な金種の紙幣が含まれている。紙幣Ｓを返却口４へ返却すると、入金口３の紙幣Ｓが全てなくなったか否かを判定し（ステップＳ３４）、入金口３にまだ紙幣Ｓがあれば（ステップＳ３４：ＮＯ）、ステップＳ２６へ移行して、入金口３から紙幣Ｓを一枚繰り出して識別部７へ搬送し、上述したように識別部７で紙幣Ｓを識別する。
【００３４】
ステップＳ３０において、識別部７で紙幣Ｓが偽紙幣と判定されていると（ステップＳ３０：ＹＥＳ）、紙幣Ｓを識別部７から返却口４へ搬送して返却し（ステップＳ３１）、真偽判定レベルの変更を許可して、変更許可データＤ２を不許可状態「０」から許可状態「１」に更新する（ステップＳ３３）。なお、このように識別部７によって偽紙幣と判定され異常と識別された紙幣Ｓには、実際には真紙幣であるが流通過程においてしわが寄ったり汚れが付いたというように傷んだ状態にあるために、真偽判定レベルＡでは真紙幣と判定できなかった紙幣が含まれている。また、偽造紙幣も含まれている。変更許可データＤ２を更新すると、ＣＰＵ１１は入金口３の紙幣Ｓが全てなくなったか否かを判定し（ステップＳ３４）、入金口３にまだ紙幣Ｓがあれば（ステップＳ３４：ＮＯ）、ステップＳ２６へ移行して、入金口３から紙幣Ｓを一枚繰り出して識別部７へ搬送し、上述したように識別部７で紙幣Ｓを識別する。これに対して、入金口３の紙幣Ｓが全てなくなると（ステップＳ３４：ＹＥＳ）、紙幣入金受付処理を終了して、図６のステップＳ３へ移行する。このとき、識別部７では全紙幣Ｓの金額の計数が完了しているので、表示部９に紙幣Ｓの金額が表示される。
【００３５】
なお、ＣＰＵ１１は図７の紙幣入金受付処理とは独立して、変更指示データ更新処理を図８のフローチャートに従って実行している。そのため、図７のステップＳ３３で変更許可データＤ２を更新すると、変更許可データＤ２が許可状態「１」になったと判定し（図８のステップＳ４１：ＹＥＳ）、レベル変更ボタンＢ１を発光させて（ステップＳ４２）、係員がレベル変更ボタンＢ１を押すのを待つ（ステップＳ４３）。このとき、レベル変更ボタンＢ１が発光しているので、係員は真偽判定レベルの変更が許可されていて、返却口４に返却された紙幣Ｓを真偽判定レベルを変更した後に、再度紙幣入出金機１に受け付けさせる必要があることを認識する。そして、係員が真偽判定レベルの変更を指示するためにレベル変更ボタンＢ１を押すと（ステップ４３：ＹＥＳ）、ＣＰＵ１１は変更指示データＤ１を無指示状態「０」から指示状態「１」に更新し（ステップＳ４４）、変更指示データ更新処理を終了する。
【００３６】
図６のステップＳ３において、ＣＰＵ１１は、入金確定指示または入金取消指示が有ったか否かを判定する。このとき、係員は、返却口４に返却されている紙幣Ｓを取り出してチェックし、紙幣Ｓが紙幣入出金機１で取り扱い不可能な紙幣であるかどうかや、紙幣Ｓが流通過程で傷んでしまったために、真紙幣であるにも拘らず真紙幣と判定されなかった紙幣であるかどうか等を判断する。そして、係員は、取り扱い可能な紙幣であり、流通過程で傷んでしまった真紙幣であると判断した紙幣Ｓを、紙幣入出金機１に再度受け付けさせるために、入金口３に投入し、投入後、計数ボタンＢ４を押す。また、係員は、上記以外の判断をした紙幣Ｓ、例えば取り扱い不可能と判断した紙幣Ｓを入金対象から外す。係員によって紙幣Ｓが入金口３に投入されると、入金口センサ１４によって入金口３に紙幣Ｓが有ることが検知されるので、ＣＰＵ１１は、入金確定指示または入金取消指示が無いと判定して（ステップＳ３：ＮＯ）、ステップＳ２へ移行し、再度紙幣入金受付処理を図７のフローチャートに従って実行する。
【００３７】
図７において、上述したように入金口センサ１４の検知出力により入金口３に紙幣Ｓが有り、かつ、紙幣Ｓの計数指示が有ったと判断すると（ステップＳ２１：ＹＥＳ）、変更許可データＤ２が許可状態「１」であるか否かを判定する（ステップＳ２２）。このときは、上述したように最初の紙幣Ｓの受け付け時にステップＳ３３で変更許可データＤ２を許可状態「１」に更新したので（ステップＳ２２：ＹＥＳ）、ステップＳ２３へ移行し、変更指示データＤ１が指示状態「１」であるか否かを判定する。ここでは、上述したように図８のステップＳ４４で変更指示データＤ１を無指示状態「０」から指示状態「１」に更新したので（ステップＳ２３：ＹＥＳ）、識別部７で有効である真偽判定レベルをレベルＡからレベルＢへ変更する（ステップＳ２４）。真偽判定レベルの変更後は、変更指示データＤ１を無指示状態「０」に初期化するとともに、変更許可データＤ２を不許可状態「０」に初期化して（ステップＳ２５）、ステップＳ２６へ移行する。
【００３８】
ステップＳ２６において、入金口３から紙幣Ｓを一枚繰り出して識別部７へ搬送し、識別部７で真偽判定や金種判定等の複数の判定項目に基づいて紙幣Ｓが正常であるか異常であるかを識別する（ステップＳ２７）。このときは、ステップＳ２４で真偽判定レベルがレベルＡからレベルＢへと変更されたので、レベルＡよりも低いレベルＢに基づいて識別部７は紙幣Ｓを識別する。そして、レベルＢに基づく真偽判定で紙幣Ｓが真紙幣と判定され、さらにその紙幣Ｓが正常と識別されると（ステップＳ２８：ＹＥＳ）、この紙幣Ｓを識別部７から一時保留部６へ搬送し（ステップＳ２９）、上述したようにステップＳ３４の処理を実行する。
【００３９】
一方、識別部７によって紙幣Ｓが異常であると識別され（ステップＳ２８：ＮＯ）、続けて、紙幣Ｓが真紙幣であると判定されていると（ステップＳ３０：ＮＯ）、その紙幣Ｓを識別部７から返却口４へ搬送して返却する（ステップＳ３２）。なお、ここで返却した紙幣Ｓには、上述したように取り扱い不可能な紙幣が含まれるので、入金口３の紙幣Ｓが全て返却口４または一時保留部６に振り分けられた後に、係員によって返却口４から取り出されてチェックされ、入金対象から外される。紙幣Ｓを返却口４へ返却すると、上述したようにステップＳ３４の処理を実行する。
【００４０】
上記に対して、ステップＳ３０において、紙幣Ｓが偽紙幣と判定されていると（ステップＳ３０：ＹＥＳ）、紙幣Ｓを識別部７から返却口４へ搬送して返却し（ステップＳ３１）、真偽判定レベルの変更を許可して、変更許可データＤ２を不許可状態「０」から許可状態「１」に更新する（ステップＳ３３）。なお、ここで返却した紙幣Ｓには、上述したように流通過程において傷んだために、真偽判定レベルＢでは真紙幣と判定できなかった紙幣が含まれるので、入金口３の紙幣Ｓが全て返却口４または一時保留部６に振り分けられた後に、係員によって返却口４から取り出されてチェックされ、再度入金口３に投入される。変更許可データＤ２を更新すると、ＣＰＵ１１は上述したようにステップＳ３４の処理を実行する。そして、ステップＳ３４で入金口３の紙幣Ｓが全てなくなると（ステップＳ３４：ＹＥＳ）、紙幣入金受付処理を終了して、図６のステップＳ３へ移行する。また、変更許可データＤ２を更新すると、ＣＰＵ１１は、図８の変更指示データ更新処理において、変更許可データＤ２が許可状態「１」になったと判定し（ステップＳ４１：ＹＥＳ）、ステップＳ４２〜ステップＳ４４の処理を上述した手順と同様にして実行する。
【００４１】
図６のステップＳ３において、ＣＰＵ１１は、入金確定指示または入金取消指示が有ったか否かを判定する。このとき、係員が返却口４に返却された紙幣Ｓを紙幣入出金機１に再度受け付けさせるために入金口３に投入すると、上述したようにＣＰＵ１１は入金確定指示または入金取消指示が無いと判定して（ステップＳ３：ＮＯ）、ステップＳ２へ移行し、再度紙幣入金受付処理を図７のフローチャートに従って上述した手順と同様にして実行する。なお、その場合は、図７のステップＳ２４で真偽判定レベルを一段階下げるように変更する。ここでは、真偽判定レベルをレベルＢからレベルＣへ変更する。
【００４２】
一方、ステップＳ３において、係員が入金確定ボタンＢ２または入金取消ボタンＢ３を押すと、一時保留部６の紙幣Ｓに対して入金確定指示または入金取消指示が有ったと判定し（ステップＳ３：ＹＥＳ）、続けて、その指示はどちらかを判定する（ステップＳ４）。ここで、指示が入金確定指示であれば、ステップＳ５へ移行して、紙幣収納処理を実行する。詳しくは、紙幣Ｓを一時保留部６から一枚ずつ繰り出して識別部７へ搬送し、識別部７で金種を判定した後に、紙幣Ｓを判定した金種に対応するカセットＣ１〜Ｃ４に収納する。このようにして、一時保留部６の紙幣Ｓを全てカセットＣ１〜Ｃ４へ収納し、受け付けた紙幣Ｓに対する処理が完了すると、真偽判定レベルを初期化して初期のレベルＡに戻し（ステップＳ６）、入金時の動作を終了する。
【００４３】
ステップＳ４において、指示が入金取消指示であれば、ステップＳ７へ移行して、紙幣返却処理を実行する。詳しくは、紙幣Ｓを一時保留部６から一枚ずつ繰り出して返却口４へ返却する。そして、一時保留部６の紙幣Ｓを全て返却口４へ返却して、受け付けた紙幣Ｓに対する処理が完了すると、真偽判定レベルを初期化して初期のレベルＡに戻し（ステップＳ８）、入金時の動作を終了する。
【００４４】
以上の手順によると、流通過程で傷んだ真紙幣Ｓを最初に受け付けたときに、識別部７が当該紙幣Ｓを偽紙幣で異常であると識別して、それを返却しても、返却した紙幣Ｓを再度受け付けたときに、真偽判定レベルが下げられているので、当該紙幣Ｓは識別部７により真紙幣で正常であると識別され、カセットＣ１〜Ｃ４に収納することができる。この結果、従来の紙幣入出金機のように、係員が現金を手元で管理する必要がなくなり、現金を紙幣入出金機１内で安全に管理することができる。また、予備紙幣を用いる必要がなくなり、予備紙幣の扱いに手間と時間がかからず、顧客に対する入金サービスをスムーズに行うことができる。
【００４５】
また、特許文献１の紙幣入出金機のように、一度返却した紙幣Ｓの真偽判定やこれ以外の判定を人間の判断のみに委ねるということはなく、全て識別部７によって判定するので、識別部７による判定に基づいて紙幣Ｓが正常であるか異常であるかを正確に識別することができ、偽造紙幣や紙幣入出金機１で取り扱い不可能な紙幣のような異常な紙幣Ｓが紙幣入出金機１内に混入するのを防止することが可能となる。さらに、真偽判定レベルだけを変更することで、真偽判定以外の判定を行うためのレベルを保持し、異常な紙幣Ｓが紙幣入出金機１内に混入するのを一層確実に防止することが可能となる。
【００４６】
また、上述の手順では、真偽判定レベルＡ〜Ｅを順次下げるように変更している。これにより、返却された紙幣Ｓを繰り返し受け付ける毎に真偽判定レベルを徐々に下げて行くことができ、相当程度傷んだ貨幣であっても、最終的には受け付けて収納することが可能となる。
【００４７】
また、上述の手順では、変更指示データＤ１が真偽判定レベルの変更の指示状態「１」を表し、かつ、変更許可データＤ２が真偽判定レベルの変更の許可状態「１」を表していることを条件として、真偽判定レベルを下げるように変更している。これにより、紙幣入出金機１側で真偽判定レベルの変更が許可されていなければ、係員がレベル変更ボタンＢ１を操作しても、真偽判定レベルを下げることができないため、真偽判定レベルが係員によって不用意に変更されるのを防止することができる。
【００４８】
また、上述の手順では、レベル変更ボタンＢ１を発光させて真偽判定レベルの変更が許可されたことを通知している。これにより、紙幣入出金機１で真偽判定レベルの変更が可能な状態になっていて、レベル変更ボタンＢ１の操作が有効であるということが容易に分かるので、係員は即座にレベル変更ボタンＢ１を操作して真偽判定レベルの変更を指示し、返却された紙幣Ｓを紙幣入出金機１に再度受け付けさせることができる。
【００４９】
また、上述の手順では、真偽判定レベルを変更した後に、変更許可データＤ２の許可状態「１」を不許可状態「０」に戻すとともに、変更指示データＤ１の指示状態「１」を無指示状態「０」に戻している。このようにせずに、変更許可データＤ２を許可状態「１」および変更指示データＤ１を指示状態「１」のままにしておくと、その後識別部７によって真紙幣であるが異常であると識別された異常な紙幣Ｓをもう一度受け付けたときに、指示なく真偽判定レベルを下げて、その下げたレベルで識別部７によって誤った真偽判定が行われてしまう。しかるに、上記のように変更許可データＤ２と変更指示データＤ１とを「０」に戻せば、異常な紙幣Ｓをもう一度受け付けたときに、指示なく真偽判定レベルを下げてしまうことは発生せず、識別部７によって誤った判定が行われることもない。さらに、上述の手順では、受け付けた紙幣Ｓに対する処理が完了した後に、真偽判定レベルを初期のレベルＡに戻している。これにより、次の紙幣Ｓを受け付けるときに、通常の高い真偽判定レベルＡで紙幣Ｓの真偽判定を行うことができる。
【００５０】
以上述べた実施形態においては、係員が紙幣入出金機１の操作部８を操作して、紙幣入出金機１に直接指示を行う場合を例に挙げているが、本発明はこれのみに限定するものではない。これ以外に、例えば、紙幣入出金機を上位装置と接続し、係員が上位装置を操作して、上位装置から紙幣入出金機に指示を行うようにしてもよい。
【００５１】
図９〜図１１は、この場合の実施形態を示す図である。図９は、紙幣入出金機と上位装置とを示す図である。図９において、３０は紙幣入出金機であって、図１に示した紙幣入出金機１と略同様の構造をしている。この紙幣入出金機３０の操作部３８には、図２に示した操作部８が備えるレベル変更ボタンＢ１や入金確定ボタンＢ２や入金取消ボタンＢ３等は備わっていない。４０はＰＣ（Ｐｅｒｓｏｎａｌ  Ｃｏｍｐｕｔｅｒ）から構成される上位装置であって、ケーブルＣａで紙幣入出金機３０と接続されている。この上位装置４０の表示部４５には紙幣入出金機３０に対して各種の指示をするための画面が表示される。本実施形態では、紙幣入出金機３０と上位装置４０とは、本発明における貨幣処理装置を構成する。
【００５２】
図１０は、上位装置４０の表示部４５に表示される紙幣入金処理用の画面の一例を示す図である。図１０において、紙幣入金処理用画面Ｇは、紙幣Ｓを紙幣入出金機３０に入金するときに表示部４５に表示される。Ｗは入金する紙幣Ｓの金額等を表示する表示ウインドウである。Ｋ１は消灯と点灯とで切り替って表示される真偽判定レベル変更指示キー（以下、レベル変更キーと記す）であって、紙幣入出金機３０に備わる識別部３７（図１１に図示）が紙幣Ｓの真偽判定を行うための真偽判定レベルの変更を指示する場合に操作される。レベル変更キーＫ１は、本発明における変更指示手段を構成する。Ｋ２は紙幣入出金機３０の一時保留部に保留された紙幣Ｓに対して入金の確定を指示するために操作される入金確定キー、Ｋ３は一時保留部に保留された紙幣Ｓに対して入金の取り消しを指示するために操作される入金取消キー、Ｋ４は紙幣入出金機３０の入金口に投入された紙幣Ｓの金額を計数するために操作される計数キー、Ｋ５は紙幣入出金機３０の状態をリセットするためのリセットボタンである。なお、５つのキーＫ１〜Ｋ５は、画面Ｇ上のポインタＹを上位装置４０のマウスによって移動させて操作することができる。
【００５３】
図１１は、紙幣入出金機３０と上位装置４０の電気的構成を示すブロック図である。紙幣入出金機３０において、３１は紙幣入出金機３０の各部を制御するＣＰＵ、３２はＣＰＵ３１の動作プログラム等を記録したＲＯＭ、３３はＣＰＵ３１が各部を制御する制御データを読み書き可能に記録するＲＡＭである。３４は入金口の紙幣を検知する入金口紙幣検知センサ、３５は一時保留部の紙幣を検知する保留部紙幣検知センサである。３８は前述の操作部であって、紙幣入出金機３０の動作状態等を表示する表示部等が備わっている。３７は本発明における識別部、３６は紙幣入出金機３０の内部に備わる搬送ライン（図１のＬ１〜Ｌ３に相当するもの）を駆動するための駆動源であるモータである。
【００５４】
３９はＲＡＭから構成される格納部であって、所定の領域にレベルテーブルＴを格納している。レベルテーブルＴは、図４で説明したものと同様のテーブルである。ＣＰＵ３１は、上位装置４０から真偽判定レベルの変更が指示されると、レベルテーブルＴに表されている識別部３７で有効である真偽判定レベルを順次下げるように変更する。そして、受け付けた紙幣Ｓに対する処理が完了した後に、ＣＰＵ３１は変更した真偽判定レベルを初期のレベルに戻す。ＣＰＵ３１は、本発明におけるレベル変更手段と、レベル初期化手段とを構成する。５０は上位装置４０と相互に通信するための通信部である。紙幣入出金機３０は通信部５０によって、上位装置４０から真偽判定レベルの変更指示や紙幣Ｓの入金確定指示および入金取消指示を受ける。また、上位装置４０に対して入金時の動作状態や紙幣Ｓの収納または返却状況、および識別部３７によって行われた紙幣Ｓの真偽判定のような複数の判定結果や紙幣Ｓが正常であるか異常であるかの識別結果を通知する。
【００５５】
次に、上位装置４０において、４１は上位装置４０の各部を制御するＣＰＵ、４２はＣＰＵ４１の動作プログラム等を記録したＲＯＭ、４３はＣＰＵ４１が各部を制御する制御データを読み書き可能に記録するＲＡＭである。４４はマウスやキーボード等から構成される操作部、４５は前述の表示部であって、モニタから構成される。４７はＲＡＭやハードディスクから構成される格納部であって、所定の領域に変更指示データＤ１と、変更許可データＤ２と、図１０に示した画面Ｇの画面データＤ３とを格納している。変更指示データＤ１はレベル変更キーＫ１（図１０）からの真偽判定レベルの変更指示が有ったか無かったかを示すデータある。変更許可データＤ２はＣＰＵ４１が真偽判定レベルの変更を許可したか否かを示すデータである。なお、ＣＰＵ４１は、識別部３７で紙幣Ｓが偽紙幣であると判定されたことを紙幣入出金機３０からの通知により確認したときに、真偽判定レベルの変更を許可する。このようなＣＰＵ４１は、本発明における変更許可手段を構成する。なお、変更許可データＤ２で真偽判定レベルの変更の許可が示されると、図１０に示したレベル変更キーＫ１が点灯表示されてそのことを通知する。このようなレベル変更キーＫ１は、本発明における通知手段を構成する。
【００５６】
変更指示データＤ１が真偽判定レベルの変更指示が有ったことを示し、かつ、変更許可データＤ２が真偽判定レベルの変更が許可されたことを示すと、ＣＰＵ４１は識別部３７で有効である真偽判定レベルの変更の指示を紙幣入出金機３０に出す。そして、紙幣入出金機３０のＣＰＵ３１によって真偽判定レベルが変更された後に、ＣＰＵ４１は、変更指示データＤ１を初期の変更指示が無い無指示状態に戻すとともに、変更許可データＤ２を初期の変更の許可がされていない不許可状態に戻す。このようなＣＰＵ４１は、本発明における状態初期化手段を構成する。４９は紙幣入出金機３０と相互に通信するための通信部である。上位装置４０は通信部４９によって、紙幣入出金機３０から入金時の動作状態や紙幣Ｓの収納または返却状況、および識別部３７によって行われた紙幣Ｓの真偽判定のような複数の判定結果や紙幣Ｓが正常であるか異常であるかの識別結果を受ける。また、紙幣入出金機３０に対して真偽判定レベルの変更指示や紙幣Ｓの入金確定指示および入金取消指示を出す。
【００５７】
このような構成においても、流通過程で傷んだ真紙幣Ｓを最初に受け付けたときに、識別部７が当該紙幣Ｓを偽紙幣で異常であると識別し、それを返却しても、返却した紙幣Ｓを再度受け付けたときに、真偽判定レベルが下げられているので、当該紙幣Ｓは識別部７により真紙幣で正常であると識別され、内部に収納することができる。
【００５８】
図１〜図８に示した実施形態では、紙幣入出金機１側で真偽判定レベルの変更が許可され、かつ、係員によってレベル変更ボタンＢ１が操作されて真偽判定レベルの変更が指示された場合に、真偽判定レベルを変更する場合を例に挙げているが、本発明はこれのみに限定するものではない。これ以外に、例えば、紙幣入出金機１側だけの判断で真偽判定レベルを変更するようにしてもよい。この場合、識別部７によって異常であると識別された紙幣Ｓが真偽判定で偽貨幣であると判定されていたことを確認したときに、真偽判定レベルを変更すればよい。
【００５９】
また、上記実施形態では、真偽判定レベルをＡ〜Ｅのように複数段階設定し、これを順次下げるように変更する場合を例に挙げているが、本発明はこれのみに限定するものではなく、例えば、初期の真偽判定レベルを１００％のレベルとし、これに対して９０％のレベル、８０％のレベル、７０％のレベルというように数値的に徐々に下げるように変更してもよい。
【００６０】
さらに、上記実施形態では、本発明に係る貨幣処理装置を、紙幣を受け付けて入金または出金する紙幣入出金機とした場合を例に挙げているが、本発明はこれのみに限定するものではなく、これ以外に、硬貨を受け付けて入金または出金する硬貨入出金機や、硬貨と紙幣の両方を受け付ける貨幣入出金機であってもよい。またさらに、駐車場や給油所等に設置され、利用客から預かった貨幣を係員が入金して精算する料金精算装置のようなものであってもよい。つまり、貨幣を受け付けて収納または返却の処理を行う装置であればよい。
【００６１】
【発明の効果】
本発明によれば、流通過程で傷んだ真貨幣を最初に受け付けたときに、識別部が当該貨幣を偽貨幣で異常であると識別して、それを返却しても、返却した貨幣を再度受け付けたときに、真偽判定レベルが下げられているので、当該貨幣は識別部により真貨幣で正常であると識別され、内部に収納することができる。この結果、係員が現金を手元で管理する必要がなくなり、現金を貨幣処理装置内で安全に管理することができ、また、予備貨幣を用いる必要がなくなり、顧客に対するサービスをスムーズに行うことができる。
【００６２】
また、貨幣の真偽判定やこれ以外の判定を全て識別部によって判定するので、貨幣が正常であるか異常であるかを正確に識別することができ、偽造貨幣や貨幣処理装置で取り扱い不可能な貨幣のような異常な貨幣が貨幣処理装置内に混入するのを防止することが可能となる。さらに、真偽判定レベルだけを変更することで、真偽判定以外の判定を行うためのレベルを保持し、異常な貨幣が貨幣処理装置内に混入するのを一層確実に防止することが可能となる。
【図面の簡単な説明】
【図１】紙幣入出金機の概略構造を示す図である。
【図２】紙幣入出金機の操作部の詳細を示す図である。
【図３】紙幣入出金機の電気的構成を示したブロック図である。
【図４】真偽判定レベルを表すレベルテーブルを示す図である。
【図５】真偽判定レベルを変更する状況を説明する図である。
【図６】紙幣入出金機の入金時の動作手順を示したフローチャートである。
【図７】紙幣入金受付処理を示したフローチャートである。
【図８】変更指示データ更新処理を示したフローチャートである。
【図９】他の実施形態の紙幣入出金機と上位装置とを示す図である。
【図１０】他の実施形態の上位装置で表示される画面の一例を示す図である。
【図１１】他の実施形態の電気的構成を示す図である。
【符号の説明】
１      紙幣入出金機
７      識別部
１１    ＣＰＵ
３１    ＣＰＵ
４１    ＣＰＵ
Ａ〜Ｅ  真偽判定レベル
Ｂ１    真偽判定レベル変更指示ボタン
Ｋ１    真偽判定レベル変更指示キー
Ｓ      紙幣
【図１】
2004265288.tif 000003
【図２】
2004265288.tif 000004
【図３】
2004265288.tif 000005
【図４】
2004265288.tif 000006
【図５】
2004265288.tif 000007
【図６】
2004265288.tif 000008
【図７】
2004265288.tif 000009
【図８】
2004265288.tif 000010
【図９】
2004265288.tif 000011
【図１０】
2004265288.tif 000012
【図１１】
2004265288.tif 000013